(57)【要約】      （修正有）【課題】画像処理装置において、出力装置の粒状性を獲得し、各可変範囲を満足する階調特性範囲を算出し、算出された可変範囲内において決定された階調特性を用いた色変換を行うことで、階調の好ましさと粒状性を軽減する。【解決手段】入力色信号を出力色信号へと変換する色変換において、出力機器の出力明度と対応する粒状性情報を記憶する粒状性情報記憶手段と、該出力機器の出力明度情報を記憶する明度階調情報記憶手段と、粒状性情報を抽出する粒状性情報抽出手段と、あらかじめ設定されている明度階調特性条件および粒状性条件と可変範囲を算出する階調制御点可変範囲算出手段と、該階調制御点の可変範囲に応じて階調制御点を設定する階調制御点設定手段と、出力される画像の粒状感を軽減することを目的とした粒状感軽減ルックアップテーブルを作成する色変換テーブル作成手段とを具備することを特徴とする画像処理装置。【選択図】図２
2006157756.tif 000002
【特許請求の範囲】
【請求項１】
入力色信号を出力色信号へと変換する色変換において、該出力信号を出力する出力機器の出力明度と対応する粒状性情報を記憶する粒状性情報記憶手段と、該入力信号値と該入力信号における該出力機器の出力明度情報を記憶する明度階調情報記憶手段と、
該粒状性情報を用い指定された階調特性情報における粒状性情報を抽出する粒状性情報抽出手段と、あらかじめ設定されている明度階調特性条件および粒状性条件と該粒状性信号情報とを用い階調特性制御点の可変範囲を算出する階調制御点可変範囲算出手段と、該階調制御点の可変範囲に応じて階調制御点を設定する階調制御点設定手段と、該設定された階調制御点に基づき該入力色信号に対し出力される画像の粒状感を軽減することを目的とした粒状感軽減ルックアップテーブルを作成する色変換テーブル作成手段とを具備することを特徴とする画像処理装置。
【請求項２】
前記画像処理装置において、前記該粒状感軽減ルックアップテーブルによる色変換を行う色変換手段とを具備することを特徴とする、請求項１に記載の画像処理装置。
【請求項３】
前記明度階調特性条件および粒状性条件について、各条件について優先する比率を設定し、該比率に基づいて前記階調特性制御点の可変範囲を算出することを特徴とする、請求項１に記載の画像処理装置。
【請求項４】
前記粒状感軽減ルックアップテーブルは１次元ルックアップテーブルであることを特徴とする、請求項１に記載の画像処理装置。
【請求項５】
入力色信号を出力色信号へと変換する色変換において、該出力信号を出力する出力機器の出力明度と対応する粒状性情報を記憶する粒状性情報記憶工程と、該入力信号値と該入力信号における該出力機器の出力明度情報を記憶する明度階調情報記憶記憶工程と、
該粒状性情報を用い指定された階調特性情報における粒状性情報を抽出する粒状性情報抽出工程と、あらかじめ設定されている明度階調特性条件および粒状性条件と該粒状性信号情報とを用い階調特性制御点の可変範囲を算出する階調制御点可変範囲算出工程と、該階調制御点の可変範囲に応じて階調制御点を設定する階調制御点設定工程と、該設定された階調制御点に基づき該入力色信号に対し出力される画像の粒状感を軽減することを目的とした粒状感軽減ルックアップテーブルを作成する色変換テーブル作成工程と、該粒状感軽減ルックアップテーブルによる色変換を行う色変換工程とを具備することを特徴とする、画像処理方法。
【請求項６】
前記粒状感軽減ルックアップテーブルによる色変換を行う色変換工程とを具備することを特徴とする、請求項５に記載の画像処理方法。
【請求項７】
前記明度階調特性条件および粒状性条件について、各条件について優先する比率を設定し、該比率に基づいて前記階調特性制御点の可変範囲を算出することを特徴とする、請求項５に記載の画像処理方法。
【請求項８】
前記粒状感軽減ルックアップテーブルは１次元ルックアップテーブルであることを特徴とする、請求項５に記載の画像処理方法。
【請求項９】
入力色信号を出力色信号へと変換する色変換において、該出力信号を出力する出力機器の出力明度と対応する粒状性情報を記憶する粒状性情報記憶機能と、該入力信号値と該入力信号における該出力機器の出力明度情報を記憶する明度階調情報記憶記憶機能と、
該粒状性情報を用い指定された階調特性情報における粒状性情報を抽出する粒状性情報抽出機能と、あらかじめ設定されている明度階調特性条件および粒状性条件と該粒状性信号情報とを用い階調特性制御点の可変範囲を算出する階調制御点可変範囲算出機能と、該階調制御点の可変範囲に応じて階調制御点を設定する階調制御点設定機能と、該設定された階調制御点に基づき該入力色信号に対し出力される画像の粒状感を軽減することを目的とした粒状感軽減ルックアップテーブルを作成する色変換テーブル作成機能と、該粒状感軽減ルックアップテーブルによる色変換を行う色変換機能とを実現するプログラムを記録することを特徴とする記録媒体。
【発明の詳細な説明】
【技術分野】
【０００１】
入力手段によって入力されたカラー画像信号を出力手段によって出力する際の色補正処理において、補正後の出力画像における粒状感を最適化する技術に係る画像処理装置およびその方法およびその記録媒体に関する。
【背景技術】
【０００２】
出力機器によって出力された画像を評価する基準のひとつとして、画像のざらつき感（粒状性）があげられる。一般的にざらつき感のない画像が好ましい画像として評価される傾向にある。特にハイライト部や人肌については、ざらつき感についてとくに敏感になるため、このような再現領域におけるざらつきを抑えた画像にすることが望まれる。ざらつき感に影響する要素としてプリンタの持つ画像解像度、印刷に用いるインク等の一ドットの大きさ（インクドット径）がある。
【０００３】
従来、粒状性の向上については、出力機器における分解能を向上する手法として、ドット径の縮小した「小ドット径インク」の使用やインク濃度を薄めた「淡インク」を使用した解決が図られている。しかしながら、小ドット径インクを使用することによって濃度の低い領域（ハイライト部）については、ざらつき感が大幅に向上されるが、小ドット径インクのみでは濃度の高い領域の再現において必要な面積を埋めるための処理時間がかかってしまい非効率的であることから、従来のようにざらつきが目立ちやすい「大ドット径インク」も合わせて使用する必要があり、中〜高濃度領域における小ドット径インクと大ドット径との切り替え部において粒状性が目立つことになる。
【０００４】
同様に、淡インクを使用することによって濃度の低い領域（ハイライト部）については、ざらつき感が大幅に向上されるが、淡インクによって再現可能な濃度以上の濃度の高い領域の再現には、従来のようにざらつきが目立ちやすい濃度のある「濃インク」を使用しなければならず、中〜高濃度領域における淡インクと濃インクの両者を使用する切り替え部において粒状性が目立つことになる。さらにプリンタにおいては、紙の吸水特性などに起因するインクのにじみ、あふれなど回避するために単位面積あたりの使用するインク量に制限が設けられるため、中〜高濃度領域における粒状性の低減に淡インクを多量に使用できない場合もある。従来の入力カラー画像信号を出力機器における画像信号に変換した後、出力機器によって出力するにおいて、このようなインクの切り替えに生じる粒状性を低減させるために、特許文献１において、粒状感を軽減させる設定においては、色変換処理に用いるルックアップテーブルにおいて淡濃度インクを通常よりも多用する色変換テーブルをあらかじめ準備し、通常の色変換テーブルと切り替える手法が提案されている。
【特許文献１】特開２００２−２７２６９号公報
【発明の開示】
【発明が解決しようとする課題】
【０００５】
しかしながら、色補正処理において出力される画像のメリハリ感（コントラスト）、全体的な明るさを決定するため明度による階調特性を決定するにおいて、粒状性が目立ちやすい領域やインクの切り替え部分が強調されるような階調特性に設定されてしまうと、従来例のように粒状性を低減した色変換テーブルを使用しても出力される画像において粒状性が目だってしまうという問題がある。
【０００６】
本発明は上述した問題を解決するためになされたものであり、入力色信号を出力色信号へと変換する色変換において、
あらかじめ色変換テーブルによって決定された出力機器の粒状性情報に基づいて、出力階調特性を決定するにおいて、明度変化における粒状性の変化についてあらかじめ許容範囲を設定し、また、明度階調特性についてもあらかじめ画像を最適な階調に出力するための許容範囲を設定し、粒状性および明度階調について両者の許容範囲内に収まるように、プリンタにおける出力階調特性の決定を行う。決定された階調特性を用いて、入力信号を出力信号に色変換することによって、粒状性を軽減すると同時に画像の明度階調特性を最適化した色再現を実現する色変換処理を行うことを目的とする。
【課題を解決するための手段】
【０００７】
上記問題を解決し、目的を達成するための一手段として、本発明は以下の構成を備える。
【０００８】
本発明の画像処理装置は、入力色信号を出力色信号へと変換する色変換において、該出力信号を出力する出力機器の出力明度と対応する粒状性情報を記憶する粒状性情報記憶手段と、該入力信号値と該入力信号における該出力機器の出力明度情報を記憶する明度階調特性情報記憶手段と、該粒状性情報を用い指定された階調特性情報における粒状性情報を抽出する粒状性情報抽出手段と、あらかじめ設定されている明度階調特性条件および粒状性条件と該粒状性信号情報とを用い階調特性制御点の可変範囲を算出する階調制御点可変範囲算出手段と、該階調制御点の可変範囲に応じて階調制御点を設定する階調制御点設定手段と、該設定された階調制御点に基づき該入力色信号に対し出力される画像の粒状感を軽減することを目的とした粒状感軽減ルックアップテーブルを作成する色変換テーブル作成手段と、該粒状感軽減ルックアップテーブルによる色変換を行う色変換手段とを具備することを特徴とする。
【０００９】
本発明の画像処理方法は、入力色信号を出力色信号へと変換する色変換において、該出力信号を出力する出力機器の出力明度と対応する粒状性情報を記憶する粒状性情報記憶工程と、該入力信号値と該入力信号における該出力機器の出力明度情報を記憶する明度階調特性情報記憶工程と、該粒状性情報を用い指定された階調特性情報における粒状性情報を抽出する粒状性情報抽出工程と、あらかじめ設定されている明度階調特性条件および粒状性条件と該粒状性信号情報とを用い階調特性制御点の可変範囲を算出する階調制御点可変範囲算出工程と、該階調制御点の可変範囲に応じて階調制御点を設定する階調制御点設定工程と、該設定された階調制御点に基づき該入力色信号に対し出力される画像の粒状感を軽減することを目的とした粒状感軽減ルックアップテーブルを作成する色変換テーブル作成工程と、該粒状感軽減ルックアップテーブルによる色変換を行う色変換工程を有することを特徴とする。
【００１０】
本発明の画像処理記録媒体は、入力色信号を出力色信号へと変換する色変換において、該出力信号を出力する出力機器の出力明度と対応する粒状性情報を記憶する粒状性情報記憶機能と、該入力信号値と該入力信号における該出力機器の出力明度情報を記憶する明度階調特性情報記憶機能と、該粒状性情報を用い指定された階調特性情報における粒状性情報を抽出する粒状性情報抽出機能と、あらかじめ設定されている明度階調特性条件および粒状性条件と該粒状性信号情報とを用い階調特性制御点の可変範囲を算出する階調制御点可変範囲算出機能と、該階調制御点の可変範囲に応じて階調制御点を設定する階調制御点設定機能と、該設定された階調制御点に基づき該入力色信号に対し出力される画像の粒状感を軽減することを目的とした粒状感軽減ルックアップテーブルを作成する色変換テーブル作成機能と、該粒状感軽減ルックアップテーブルによる色変換を行う色変換機能とを実現するプログラムを記録することを特徴とする。
【００１１】
また、前記粒状性情報を人間にとって最も敏感である明度に限定することで、粒状性軽減ルックアップテーブルを１Ｄルックアップテーブルとして作成することを特徴とした。
【発明の効果】
【００１２】
本発明によれば、入力色信号を出力色信号へと変換する色変換において、出力装置の粒状性を獲得し、階調特性と粒状性変化について可変範囲を設定し、各可変範囲を満足する階調特性範囲を算出し、算出された可変範囲内に色変換に用いる階調特性を決定する。決定した階調特性を用いた色変換を行うことで、階調の好ましさと粒状性を軽減する最適化された出力画像を実現する色変換処理を行うことができる。
【発明を実施するための最良の形態】
【００１３】
以下本発明を実施するための最良の形態を、実施例により詳しく説明する。
【実施例】
【００１４】
本発明における概要、構成について、図１に示されるブロック図を参照しながら説明する。
【００１５】
１０１はＣＰＵであり、ＲＯＭ１０２に記憶されている情報データや制御プログラム、ＯＳ（オペレーティングシステム）、アプリケーションプログラム（以下、アプリケーションという）、カラーマッチング処理モジュール、デバイスドライバ等に従って、ＲＡＭ１０３、操作部１０４、画像処理部１０５、モニタ１０６、入力デバイス１０７、出力デバイス１０８の各種制御を行う。１０７は入力デバイスであり、ＣＣＤセンサを含むイメージスキャナ等の画像読取装置や測色装置によって出力装置の色空間情報データや粒状性情報データを、ホストコンピュータに入力する。１０８は出力デバイスであり、インクジェットプリンタ、熱転写プリンタ、ドットプリンタ等によって画像を出力する。ＲＡＭ１０３は各種制御プログラムや操作部１０４から入力されるデータの作業領域及び一時待避領域である。１０４は操作部であり、出力デバイス設定部１０７の設定やデータの入力を行う。１０５は画像処理部であり、本発明における粒状性情報に基づく階調情報範囲設定や、設定された粒状性範囲情報を用いた色変換処理を含む画像処理を行う。
【００１６】
１０６はモニタであり、画像処理部１０５の処理結果や操作部１０４で入力されたデータ等を表示する。
【００１７】
画像処理部１０５においては、図２に示されるように、端子２０１を通じて獲得された入力信号情報を格納する入力信号格納部２０２と、出力信号を出力する出力機器の出力明度と対応する粒状性情報データを端子２１３を通じて取得し格納する粒状性情報格納部２０３と、入力信号値に対する出力機器の出力明度情報（階調特性）を端子２１４を通じて取得し格納する出力明度階調情報格納部２０４と、粒状性情報格納部２０３に格納された粒状性情報を用いて出力機器の出力明度に対する粒状性を獲得する粒状性情報抽出部２０５と、出力機器が出力する階調特性を決定する階調特性制御点を設定する階調制御点設定部２０７と、階調制御点により設定される明度階調特性についての可変範囲を格納する明度階調特性可変範囲格納部２０８と、階調特性に対する粒状性の変化についての可変範囲を格納する粒状性可変範囲格納部２０６と、階調特性可変範囲格納部２０８および粒状性可変範囲格納部２０６に格納された階調特性可変範囲情報および粒状性可変範囲情報より、出力装置において設定可能な階調特性の範囲を算出する出力階調特性範囲獲得部２０９と、設定可能な階調特性の範囲内において階調制御点設定部２０７により決定された階調特性に基づいて、入力色信号に対し出力される画像の粒状感を軽減することを目的とした粒状感軽減ルックアップテーブルを作成する補正テーブル作成部２１０と、粒状感軽減ルックアップテーブルを使用して入力信号格納部２０２に格納された入力画像信号について、色補正処理を行う色補正処理部２１１によって構成される。
【００１８】
さらに、画像処理部１０５における色変換部２１２において補正された入力信号に対して、図１における出力デバイスであるプリンタ１０８の出力信号への変換を行い、プリンタ１０８によって出力する。
【００１９】
以上、本実施例によれば、ＲＧＢ色空間情報をもつ画像データをプリンタによって出力するにおいて、出力装置における粒状性を獲得し、あらかじめ設定された粒状性可変範囲および階調特性可変範囲において、両可変範囲を満足する粒状感を軽減することを目的とした粒状感軽減ルックアップテーブルを作成し、作成したルックアップテーブによって適宜色補正を行うことによって、出力装置における画像出力において、明度階調特性の好ましさを実現しかつ粒状性を軽減した最適な画像を実現することができる。
【００２０】
以下、本発明における処理について詳細に記述する。
【００２１】
図２にしめす構成をもつ本実施例における処理を、図３に示すフローチャートによって説明する。
【００２２】
ステップＳ３０１において、プリンタにおける明度階調特性情報として次のような図４に示される構成を持つプリンタ出力プロファイルを獲得する。
【００２３】
・プリンタ出力プロファイル
プリンタ出力プロファイルとは、入力信号ＲＧＢ色情報と、出力デバイス１０８であるプリンタによって出力される色との対応を示したものである。本実施形態におけるプリンタ出力プロファイルは、Ｒ、Ｇ、Ｂの各色情報が等しい入力（以降、プリンタ入力グレーレベルという）に対する出力デバイス１０８の出力明度（以降、プリンタ出力明度）の関係（以降、プリンタ出力階調特性）を示すものであって、ルックアップテーブル、あるいは近似式のパラメータなどの形式で記録されたデータのことをいう。なお、本実施形態では出力デバイス出力明度としてＣＩＥＬＡＢ色空間におけるＬ＊値と使用するが、これに限るものではなく、明度に相当する量であればどのようなものであってもよい。
【００２４】
図４は、離散的な入力ＲＧＢ信号値４０１に対する出力明度Ｌ＊値４０２を記述した参照テーブル形式であるプリンタ出力プロファイルの一例を示した図である。したがって本実施例において任意の入力ＲＧＢ信号に対する出力明度Ｌ＊を算出する際には、プリンタ出力プロファイルを参照し適宜補間処理を用いて出力明度Ｌ＊を獲得するものとする。
【００２５】
ここで、プリンタ出力プロファイルに記録されるプリンタ出力階調特性の例を図５に示す。
【００２６】
ステップＳ３０２において、獲得されたプリンタ出力プロファイルは、出力明度階調情報格納部２０４に格納する。
【００２７】
ステップＳ３０３において、プリンタにおける粒状性情報として次のような図６に示される構成を持つプリンタ粒状性プロファイルを獲得する。
【００２８】
・プリンタ粒状性プロファイル
プリンタ粒状性プロファイルとは、出力デバイス１０８におけるプリンタ出力明度と、出力デバイス１０８がその明度に対応する出力をおこなったときの粒状性との関係（以降、プリンタ粒状特性）を示すものであり、ルックアップテーブルや近似式のパラメータなどの形式で記憶されたデータのことをいう。ここで粒状性とは、人間が印刷物を観察したときの粒状感を数値化したものであり、これに該当するものであればどのようなものであってもよい。本実施形態では、式１で与えられるＲＭＳ粒状度σを使用する。
【００２９】
2006157756.tif 000003
【００３０】
式１において、Ｌ（ｘｉ）は粒状度測定領域を走査したｉ番目の明度、Ｎは粒状度を測定するにあたりサンプリングしたデータ数、Ｌａｖは粒状度測定領域内での平均明度（プリンタ出力明度に相当する）である。
【００３１】
ＲＭＳ粒状度の獲得については、あらかじめ粒状性を測定するためのパッチデータを準備しておき、出力デバイスであるプリンタによって出力しておく。粒状性測定用パッチの一例を図７に示す。図７は、白色から黒色に渡る離散的なＲＧＢグレイデータについて粒状性を測定するに十分な大きさを持つ矩形領域７０２を設定した画像データによるパッチ画像７０２である。出力したパッチ画像について図１における入力デバイス１０７である測定機器によって測定を行い、測定した結果に対して式１を適用することによって、出力デバイスによって出力されたグレイデータにおける粒状性をプリンタ粒状性として獲得する。
【００３２】
プリンタ粒状特性の例を図８に示す。
【００３３】
そして図６は、パッチから得られる離散的なプリンタの出力明度６０１に対して、獲得されたプリンタ粒状度σ６０２を格納した参照テーブル形式であるプリンタ粒状性プロファイルの一例を示した図である。
【００３４】
本実施例において任意のプリンタ出力明度Ｌ＊値に対するプリンタ粒状性を算出する際には、プリンタ粒状性プロファイルを参照し適宜補間処理を用いて図８に示されるようなプリンタ粒状性を獲得するものとする。ここで、任意のプリンタ出力明度Ｌ＊値に対するプリンタ粒状性の算出は、粒状性情報抽出部２０５において、粒状性情報格納部２０３に格納された粒状性情報および出力明度階調格納部２０４に格納された明度階調特性情報を参照して算出される。
【００３５】
ステップＳ３０４において獲得されたプリンタ粒状性プロファイルは、粒状性情報格納部２０３に格納する。
【００３６】
ここで、入力信号に対するプリントの出力明度階調特性情報について、出力階調特性の明度階調特性の傾き（コントラスト）や再現明度について出力画像が好ましく再現される範囲が、あらかじめ明度階調特性可変範囲として設定され、明度階調特性可変範囲格納部２０８に格納されている。
【００３７】
本実施例において、入力をプリンタ入力グレーレベルＲＧＢ値とし、出力をプリンタ出力明度とする出力階調特性を示す曲線は図９に示されるような白色点Ｐ１（９０２）から黒色点Ｐ５（９０６）間における階調制御点Ｐ２（９０３）〜Ｐ４（９０４）によって、その階調特性曲線が制御される。図１０において示されるように、各階調制御点Ｐ２〜Ｐ４に対して再現明度範囲１００３〜１００５や局地的接線の傾きについて可変範囲がそれぞれ設定されている。再現明度範囲１００３〜１００５によって設定可能な出力明度階調の上限階調曲線１００１および下限階調曲線１００２のようになる。さらに、各階調制御点Ｐ２〜Ｐ４における局地的接線の傾きが設定されれば、設定可能な出力明度階調はさらに限定されることになる。図１０における各制御点Ｐ２〜Ｐ４が、再現明度範囲や局地的接線の傾きの可変範囲においてが設定されると、各制御点Ｐ１〜Ｐ５間を骨格とするスプライン曲線などを用いて平滑化した曲線９０１を出力階調特性曲線情報として設定する。なお、求められた曲線９０１について、最終的に入力信号に対するプリンタ出力明度を記述したルックアップテーブルの形式に変換し、出力階調特性情報として設定してもよい。出力階調特性情報の決定については、ルックアップテーブルや近似式のパラメータなどの形式について可変範囲を設定し、出力階調特性情報の決定する手法であっても、なんら問題はない。
【００３８】
図１１に、明度階調特性可変範囲データの一例を示す。
【００３９】
図１１において、先に図１０において示される各階調制御点における再現明度範囲および水平線を０度としたときの局地的接線の傾きの範囲について参照テーブルの形式で可変範囲が記述されている。
【００４０】
階調制御点１１０１における再現明度範囲下限値１１０２、再現明度範囲上限値１１０３、局地的接線の傾き下限幅値１１０４、局地的接線の傾き上限幅値１１０５である。
【００４１】
次に、プリンタの出力における粒状性を軽減する手法について以下に説明する。
【００４２】
本実施例においては、第一に、上記粒状性情報格納部に格納されたプリンタ粒状プロファイルをもとに、粒状性を軽減する出力明度変換テーブルを作成する。
【００４３】
以下図８、図１７、図１８および図１６に示されるフローチャートに従って、プリンタの出力における粒状性を軽減する出力明度変換テーブルの作成方法を説明する。
【００４４】
図１６は出力明度変換テーブル作成方法を説明するフローチャートである。
【００４５】
ステップＳ１６０１において、粒状性情報格納部２０３に格納されたプリンタ粒状プロファイルを獲得する。
【００４６】
ステップＳ１６０２において、ステップＳ１６０１において獲得されたプリンタ粒状プロファイルである図８に示されるプリンタ粒状特性８０１に対して、プリンタ粒状特性８０１に対する粒状性の視覚限界レベル８０２を設定する。視覚限界レベルとは、プリンタ粒状特性において、人間が粒状感を感じることのできる限界の粒状性レベルを意味するものである。粒状性の尺度としてＲＭＳ粒状度を用いた場合には、この視覚限界レベルよりも粒状性が大きい場合には出力画像に粒状感が感じられ、小さい場合には出力画像に粒状感は感じられないとされる。
【００４７】
ステップＳ１６０３において、プリンタ粒状特性８０１において、粒状性が視覚レベル８０２よりも大きいプリンタ出力明度の範囲を求める。例えば、図８に示すプリンタ粒状特性８０１では、プリンタ出力明度におけるａ１〜ａ２の範囲Ａ１、ａ３〜ａ４の範囲Ａ２において粒状性が視覚限界レベルよりも大きくなっている。よって、範囲Ａ１、Ａ２を特定するａ１，ａ２，ａ３，ａ４に対応する明度をプリンタ粒状プロファイルより求める。
【００４８】
ステップＳ１６０４において、粒状性が視覚限界レベル以上の領域における傾きと、それ以外の領域における傾きを式２、式３からそれぞれ求める。
【００４９】
2006157756.tif 000004
【００５０】
ここで、ＮはステップＳ１６０３において検出された領域の数、Ａｉはｉ番目の領域における領域の幅、Ｄはプリンタ出力明度のとり得る範囲全体の幅を意味している。
【００５１】
ステップＳ１６０５において、ステップＳ１６０３、Ｓ１６０４において求めた領域情報と、傾き情報とから出力明度変換テーブルの制御ポイントを求める。図８に示したプリンタ粒状特性８０１から、この明度変換テーブルの制御ポイントを求めた例を図１８に示す。以下、図１８を用いてステップステップＳ１６０５の処理を説明する。
【００５２】
図１８において、横軸は明度変換テーブルに入力される変換前プリンタ出力明度、縦軸は、出力明度変換テーブルによって変換された後の変換後プリンタ出力明度である。また、ｍｉｎ、ｍａｘは、それぞれプリンタ出力明度の最小値、最大値を意味しており、縦軸おけるｍｉｎ，ｍａｘ、横軸におけるｍｉｎ，ｍａｘはそれぞれ同じ値をとる。まず、変換前プリンタ出力明度において、ｍｉｎ以上でａ１より小さい領域は、粒状性が限界レベルよりも小さい領域であるので、点Ｐｍｉｎ（ｍｉｎ，ｍｉｎ）を通る、式３で示される傾きの直線を考え、この直線上の点Ｐ１（ａ１，ｂ１）を求める。すなわち、変換前プリンタ出力明度ａ１にたいする変換後出力明度ｂ１を下式にてもとめる。
【００５３】
2006157756.tif 000005
【００５４】
つぎに、変換前プリンタ出力明度がａ１以上でａ２より小さい領域は、粒状性が限界レベルよりも大きい領域であるので、点Ｐ１（ａ１，ｂ１）を通り、傾きが式２で与えられる直線を考え、点Ｐ２（ａ２，ｂ２）を求める。すなわち、変換前プリンタ出力明度ａ２に対する変換後出力明度ｂ２を下式にてもとめる。
【００５５】
2006157756.tif 000006
【００５６】
以下、同様に点Ｐ３（ａ３，ｂ３）、Ｐ４（ａ４，ｂ４）を求め、点Ｐｍｉｎ（ｍｉｎ，ｍｉｎ）、Ｐ１（ａ１，ｂ１）、Ｐ２（ａ２，ｂ２）、Ｐ３（ａ３，ｂ３）、Ｐ４（ａ４，ｂ４）、Ｐ５（ａ５，ｂ５）、Ｐｍａｘ（ｍａｘ，ｍａｘ）を出力明度変換テーブルの制御ポイントとする。
【００５７】
最後に、ステップＳ１６０６において、ステップＳ１６０５にて求めた各制御ポイントをスプライン曲線などで補間し、図１８に例として示す出力明度変換テーブルを作成する。図１８の例では、破線で示す曲線がステップＳ１６０６において補間された出力明度変換特性となる。
【００５８】
以上に述べた出力明度変換テーブルを用い、プリンタ出力明度を変換することによって粒状性が軽減される様子を図１７に示す。図１７における（ａ）はプリンタ出力明度を変換する前のプリンタ粒状特性であり、（ｂ）は出力明度変換テーブル、（ｃ）はプリンタ出力明度が出力明度変換テーブルによって変換された後のプリンタ粒状特性である。図１７に示すように、（ａ）における視覚限界レベルよりも大きい粒状性をもつプリンタ出力明度範囲Ａは、対応する出力明度変換テーブル（ｂ）における領域の傾きを１より小さく設定ことで、（ｂ）において視覚限界レベルよりも大きい粒状性をもつプリンタ出力明度範囲Ｂに圧縮することができる。すなわち、粒状性が視覚限界以上となるプリンタ出力明度範囲は、その範囲における出力明度変換テーブルの傾きに応じた比率（以降、粒状性圧縮率と称す）で圧縮される。
【００５９】
なお、ステップＳ１６０５における出力明度変換特性が設定された後、本実施例においては、出力明度変換特性によって決定されるプリンタの出力明度階調特性について階調制御点設定部において図９に示す階調制御点を用いて設定することで、上記粒状性軽減条件を満たすプリンタの出力明度階調特性曲線として扱うこととする。
【００６０】
上記手法により、プリンタの粒状性を軽減するための出力明度変換特性に基づいた出力階調特性曲線が決定されるが、あくまでも粒状性を軽減する観点から決定された出力階調特性曲線であるため、この出力階調特性曲線が、先に述べた明度階調変化における可変範囲を常に満たしているとは限らない。したがって、本実施例においては、上記プリンタの出力における粒状性を軽減する手法において設定される粒状性の視覚限界レベルについて、粒状性が十分に軽減されると認められるレベルについて可変範囲を設定しておき、可変範囲内において視覚限界レベルを設定できるものとする。そして、前記視覚限界レベルの可変範囲は、あらかじめ粒状性可変範囲情報として粒状性可変範囲格納部に格納されている。
【００６１】
図１２において、粒状性可変範囲格納部に格納されている粒状性可変範囲情報の一例を示す。
【００６２】
粒状性可変範囲情報１２０１は、粒状性の視覚限界レベルの上限格納メモリ１２０２と下限メモリ１２０３にそれぞれ格納される。
【００６３】
図１２に示される粒状性可変範囲情報の粒状性の視覚限界レベルの上限値１２０２および下限１２０３値を用いた、可変範囲を満足する出力階調特性の算出結果を図１０と同様の表示となるように表した結果を図１３にしめす。図１３における階調特性曲線１３０１および１３０２は、粒状性可変範囲情報による可変範囲である。
【００６４】
図１３に示される出力階調特性曲線１００１および１００２は、明度可変範囲を用いた出力明度階調の設定可能範囲である。明度可変範囲による出力明度階調の設定可能範囲に対して、粒状性可変範囲を用いた出力明度階調の設定可能範囲の一部が外れてしまっている。
【００６５】
このような場合においては、プリンタ出力画像における粒状性について、十分目立たないといえるが、明度階調変化について歪みが生じてしまい、プリンタ出力画像の明度階調について好ましくなくなってしまう。従って、粒状性可変範囲においては、出力階調特性が設計可能であっても、明度階調の好ましさから、明度可変範囲から外れたプリンタ出力階調特性は用いないことが望ましい。
【００６６】
従って、プリンタにおける出力階調特性曲線については、粒状性可変範囲を用いた出力明度階調の設定可能範囲と明度可変範囲を用いた出力明度階調の設定可能範囲の重なり合う領域内において、プリンタ出力階調特性を設定すればよい。
【００６７】
明度階調特性可変範囲格納部２０８に格納された明度についての明度階調特性可変範囲内において設定され得る出力階調特性曲線による領域と、粒状性可変範囲格納部２０６に格納された粒状性可変範囲を出力階調特性曲線による領域の両者を満足するものを、本実施例における出力階調特性の総合的な可変範囲であると決定する。
【００６８】
図１４においては、図１３における粒状性可変範囲格納部に格納された粒状性可変範囲を満たす出力階調特性曲線１３０１および１３０２と、明度階調特性可変範囲格納部２０８に格納された明度についての明度階調特性可変範囲内において設定され得る出力階調特性曲線１００１および１００２の重なりあう領域１４０１が出力階調特性の総合的な可変範囲として決定される。
【００６９】
そして、決定された出力階調特性の総合的な可変範囲に基づいて、図９に示される階調制御点Ｐ２〜Ｐ４についての明度再現領域や局地的接線の傾きが設定される。
【００７０】
図１５において、出力階調特性の総合的な可変範囲として設定された、階調制御点の設定範囲を格納するメモリの一例を示す。
【００７１】
上記における図１１において、明度階調特性可変範囲として設定されている階調制御点の設定範囲明度上限値１４０２、明度下限値１４０３に対して、図１５における階調制御点における明度上限１５０２、下限値１５０３が、総合的な可変範囲の値に変更されている。プリンタにおける出力階調特性は、図１５に示される階調制御点の設定範囲内において各制御点における値が設定され、階調制御点に基づく出力階調特性として決定されることになる。
【００７２】
もしくは、粒状性可変範囲格納部に格納された粒状性可変範囲において設定され得る出力階調特性曲線について、階調特性可変範囲格納部に格納された明度についての出力階調特性可変範囲を満たす出力階調特性曲線について、本実施例における出力階調特性の総合的な可変範囲であると決定してもよい。
【００７３】
いずれかの手法を用いて、出力階調特性範囲獲得部において、出力階調特性の総合的な可変範囲として、新たに明度についての出力階調特性可変範囲もしくは、粒状性可変範囲が算出され、出力階調特性可変範囲としてメモリに格納される。
【００７４】
本実施例では前者の手法をとるものとし、粒状性可変範囲を満たす明度についての出力階調特性可変範囲として、出力階調特性制御点における制御範囲が新たに算出され、出力階調特性可変範囲としてメモリに格納される。
【００７５】
以上については、図３に示されるフローチャートの各ステップについてそれぞれ処理される。
【００７６】
ステップＳ３０５において、明度階調特性可変範囲を獲得する。
【００７７】
ステップＳ３０６において、粒状性可変範囲を獲得する。
【００７８】
ステップＳ３０７において、上記において説明した図１６に示されるフローチャート処理に従い、出力階調特性可変範囲を算出する。
【００７９】
ステップＳ３０８において、ステップＳ３０７において設定された出力階調特性制御点における制御範囲を用いて、出力階調特性における制御点の値を決定し、プリンタにおける出力階調特性を決定する。
【００８０】
ステップＳ３０９において、プリンタにおける出力明度階調を、ステップＳ３０８において決定されたプリンタにおける出力階調特性曲線情報に変換する、出力明度階調変換テーブルを作成する。そして、出力明度階調変換テーブルを用いた色補正テーブルを作成する。
【００８１】
ここで、図２１においては、補正テーブル作成部２１０における構成を示した図である。
【００８２】
階調制御点設定部２０７において、設定された出力階調特性可変範囲を用いて、出力階調特性における制御点の値を決定し、プリンタにおける出力階調特性を決定する。出力明度階調情報格納部２０４に格納されたプリント出力明度特性とプリンタにおける出力階調特性曲線情報によって、出力明度階調変換テーブル作成部２１０１によって、出力明度階調変換テーブルを作成する。
【００８３】
色補正テーブル作成部２１０２において、出力明度階調変換テーブルにもとづき色補正テーブルを作成する。作成された色補正テーブルは色補正テーブル格納部２１０３に格納される。
【００８４】
ステップＳ３０９において決定された出力明度階調変換テーブルに基づき色補正テーブルを作成する手法について次に説明する。
【００８５】
図１９は色補正テーブル作成部における出力プリンタにおける出力明度階調特性、出力明度変換テーブル、色補正テーブル特性の関係を示す図である。
【００８６】
図２０に示すフローチャートにしたがって、補正テーブル作成部２１０における処理を説明する。
【００８７】
ステップＳ２００１において、プリンタ１０８のプリンタ出力プロファイルを獲得する。
【００８８】
ステップＳ２００２において補正テーブル作成部２１０において作成された出力明度変換テーブルを獲得する。
【００８９】
ステップＳ２００３〜ステップＳ２００５において、色補正テーブルを作成する処理を図１９を用いて説明する。
【００９０】
１９において、第Ｉエリア、第IIIエリアの特性はステップＳ２００１にて獲得したプリンタ出力特性であり、第Ｉエリアと第IIIエリアの特性は同一のものである。第IIエリアの特性は出力明度変換特性であり、補正テーブル作成部にて作成されたものである。また、第IVエリアに示される特性は、ここで作成される色補正テーブルである。まず、図１９（１）に示す矢印において、プリンタに入力されるグレーレベル（変換前グレーレベル）に対するプリンタの出力明度を求める（ステップＳ２００３）。つぎに、図１９（２）に示す矢印において、明度変換テーブルによって変換された後の出力明度を求め（ステップＳ２００４）、最後に、図１９（３）に示した矢印において、変換後の出力明度を出力するのに必要なグレーレベル（変換後グレーレベル）を求める（ステップＳ２００５）。この変換前グレーレベルに対する変換後グレーレベルの対応を記録したものが、図１８に示す補正テーブルとなる。
【００９１】
ステップＳ２００６において、ステップ２００５において獲得された色補正テーブルを色補正テーブル格納部２１０３のメモリに格納する。
【００９２】
図３に示されるフローチャートの、ステップＳ３１０において、ステップＳ３０９において作成された色補正テーブルを用いて、色補正処理部部２１１において粒状性を軽減するための入力ＲＧＢ信号を補正する。
【００９３】
入力ＲＧＢ信号を補正する補正手法について、以下に説明する。
【００９４】
図２２は、色補正処理部２１１の詳細ブロック構成を示す図である。まず、色補正テーブル変換部２２０２にて、色補正テーブル格納部２１０３に格納した色補正テーブルを用いて、入力信号格納部２０２に格納されている入力画像データの各ＲＧＢ値をそれぞれ同一の色補正テーブルを用いてテーブル変換し、Ｌ＊ａ＊ｂ＊変換部２２０３にて色補正テーブル変換後の各ＲＧＢ値をＬ＊ａ＊ｂ＊変換（ＣＩＥＬＡＢ表色系）する。また、入力画像データの各ＲＧＢ値をＬ＊ａ＊ｂ＊変換部２２０１にてＬ＊ａ＊ｂ＊値に変換する。次に、入力画像データの色味を変化させずに明度のみを変換するために、Ｌ＊ａ＊ｂ＊変換部２２０３の処理により得たＬ＊値とＬ＊ａ＊ｂ＊変換部２２０１の処理により得たａ＊，ｂ＊値を用いて、Ｌ＊ａ＊ｂ＊逆変換部２２０４にてＲＧＢ値に逆変換する。
【００９５】
以上の色補正処理によって獲得されたＲＧＢ信号は色補正データ格納部２２０５に格納される。
【００９６】
なお、ここではＣＩＥＬａｂ表色系に変換し、明度成分Ｌ＊のみを変換することとしたが、これに限られるものではなく、他の表色系に変換し、明度成分に相当する量を変換する処理であってもよいことはいうまでもない。
【００９７】
図２３に示すフローチャートによって、図２１に示す構成をもつ色補正処理部部２１１における色補正テーブルを用いた入力信号補正処理について説明する。
【００９８】
ステップＳ２３０１において、色補正テーブルを獲得する。
【００９９】
ステップ２３０２において、入力信号格納部に格納されたＲＧＢ画像データ入力信号を獲得する。
【０１００】
ステップＳ２３０３において、ＲＧＢ画像データ入力信号を色補正テーブルによって変換する。
【０１０１】
ステップＳ２３０４において、ステップＳ２３０３において変換されたＲＧＢ画像データ信号をＬ＊ａ＊ｂ＊値に変換する。
【０１０２】
ステップＳ２３０５において、ＲＧＢ画像データ入力信号をＬ＊ａ＊ｂ＊値に変換する。
【０１０３】
ステップＳ２３０６について、ステップＳ２３０４において変換されたＬ＊値と、ステップＳ２３０５において獲得されたａ＊ｂ＊によるＬ＊ａ＊ｂ＊値を合成する。
【０１０４】
ステップＳ２３０７について、ステップＳ２３０６において獲得されたＬａｂ値をＲＧＢ値に逆変換する。
【０１０５】
ステップＳ２３０８について、色補正画像データとして、ステップＳ２３０７において変換されたＲＧＢ値を格納する。
【０１０６】
ステップＳ２３０９においてすべての画像入力ＲＧＢデータについてステップＳ２３０２からステップＳ２３０８の処理が終了したかについて判定する。
【０１０７】
ステップＳ２３０９において未処理の画像入力ＲＧＢデータがあればステップＳ２３０２に戻り残りの画像入力ＲＧＢデータの処理を繰り返す。
【０１０８】
ステップＳ２３０９において、すべての画像入力ＲＧＢデータについて色補正処理が終了した場合は、本フローチャートにおける色補正処理を終了する。
【０１０９】
図３におけるステップＳ３１１において、ステップＳ３１０において補正された入力ＲＧＢ信号を、色変換部２１２においてプリンタ出力信号であるＣＭＹＫ信号に色変換処理を行う。
【０１１０】
ステップＳ３１２において、ステップＳ３１１において色変換されたＣＭＹＫ信号をプリンタ１０８によって出力し、出力画像を獲得する。
【０１１１】
以上、ステップＳ３０１からステップＳ３１２におけるフローチャートに従った処理を行うことで、明度階調特性の好ましさとプリンタ出力における粒状性の軽減の両者を実現するプリンタの色補正処理を実現することができる。
【０１１２】
［その他の実施例２］
第１の実施例において、出力階調特性の総合的な可変範囲を決定するにおいて、粒状性可変範囲を用いた出力明度階調の設定可能範囲と明度可変範囲を用いた出力明度階調の設定可能範囲の重なり合う領域内において、プリンタ出力階調特性を設定しているが、本実施例においては、粒状性可変範囲を用いた出力明度階調の設定可能範囲と明度可変範囲を用いた出力明度階調の設定可能範囲について、任意の重み付けデータを設定し、重み付けの値に基づいて出力階調特性の総合的な可変範囲を決定することを特徴とする。
【０１１３】
本実施例においては、各階調制御点ごとに粒状性および明度階調について重み付けが設定される。たとえば、図２４に示すように明度可変範囲と粒状性可変範囲の重なり合う領域がない場合や領域が小さい場合においても、明度の明るいハイライト領域における階調制御点については、粒状性に対する重み付けを大きく、シャドウ領域における階調制御点については、明度階調に対する重み付けを大きくすることによって、図２５に示すような出力階調特性の総合的な可変範囲が獲得される。出力階調特性の総合的な可変範囲内において階調制御点を設定し、出力階調特性を決定することで、本発明を適用することが可能となり、出力階調特性についてより最適化された可変範囲を算出することができる。
【０１１４】
図２５は、本実施例における階調制御点Ｐ２からＰ４における、明度可変範囲と粒状性可変範囲について明度に変換した明度範囲である。階調制御点Ｐ２からＰ４において明度可変範囲２５０４、２５０５、２５０６と粒状性可変範囲２５０１、２５０２、２５０３におけるそれぞれの明度上限および明度下限について、設定された重み付け値を用いて、以下の式のような計算によって、重み付けによる明度範囲が獲得される。
【０１１５】
明度可変範囲における明度上限値をＬａ，粒状性可変範囲について明度に変換した明度範囲における明度上限値をＬｂ、明度可変範囲に対する重み付けをＷａ、粒状性可変範囲についての重み付けをＷｂとする。出力階調特性の総合的な可変範囲における明度上限Ｌは、
Ｌ＝Ｗａ＊Ｌａ＋Ｗｂ＊Ｌｂ
により算出される。ここで、Ｗａ＋Ｗｂ＝１とする。
【０１１６】
明度下限値においても同様に出力階調特性の総合的な可変範囲における明度下限値が算出できる。
【０１１７】
以上、各制御点に対して設定された明度可変範囲と粒状性可変範囲における重み付け値と、明度可変範囲と粒状性可変範囲について明度に変換した明度範囲について、図２６に示されるようなそれぞれの明度上限および明度下限に対して、出力階調特性の総合的な可変範囲２６０１の明度上限および明度下限を獲得する。各階調制御点において獲得された出力階調特性の総合的な明度上限および明度下限内において、各階調制御点を設定することによって、本実施例における明度階調特性の好ましさとプリンタ出力における粒状性の軽減の両者を実現するプリンタの色補正処理を実現することができる。
【０１１８】
本実施例における、構成について以下に説明する。
【０１１９】
画像処理部１０５においては、図２７に示されるように、端子２０１を通じて獲得された入力信号情報を格納する入力信号格納部２０２と、出力部の出力信号を出力する出力機器の出力明度と対応する粒状性情報データを端子２１３を通じて取得し格納する粒状性情報格納部２０３と、入力信号値に対する出力機器の出力明度情報（階調特性）を端子２１４を通じて取得し格納する出力明度階調情報格納部２０４と、粒状性情報格納部に格納された粒状性情報を用いて出力部の出力明度に対する粒状性を獲得する粒状性情報抽出部２０５と、出力機器が出力する階調特性を決定する階調特性制御点を設定する階調制御点設定部２０７と、階調制御点により設定される明度階調特性についての可変範囲を格納する明度階調特性可変範囲格納部２０８と、階調特性に対する粒状性の変化についての可変範囲を格納する粒状性可変範囲格納部２０６と、可変領域比率格納部２７０１に格納されている階調特性可変範囲情報および粒状性可変範囲情報に対する重み付け値と、階調特性可変範囲格納部および粒状性可変範囲格納部に格納された階調特性可変範囲情報および粒状性可変範囲情報より、出力部において設定可能な階調特性の範囲を算出する出力階調特性範囲獲得部２０９と、設定可能な階調特性の範囲内において階調制御点設定部により決定された階調特性に基づいて、入力色信号に対し出力される画像の粒状感を軽減することを目的とした粒状感軽減ルックアップテーブルを作成する補正テーブル作成部２１０と、粒状感軽減ルックアップテーブルを使用して入力信号格納部２０２に格納された入力画像信号について、色補正処理を行う色補正処理部２１１、によって構成される。
【０１２０】
さらに、画像処理部１０５における色変換部２１２において補正された入力信号に対して、図１における出力デバイスであるプリンタ１０８の出力信号への変換を行い、プリンタ１０８によって出力する。
【０１２１】
図２９において、可変領域比率格納部２７０１に格納された階調特性可変範囲情報および粒状性可変範囲情報に対する重み付け値の一例を示す。
【０１２２】
各階調制御点２９０１に対する階調特性可変範囲情報の重み付け値２９０２および粒状性可変範囲情報の重み付け値２９０３が、参照テーブル形式で格納されている。
【０１２３】
本実施例における処理を図２８にしめすフローチャートによって説明する。
【０１２４】
ステップＳ２８０１において、プリンタにおける明度階調特性情報として次のような図４に示される構成を持つプリンタ出力プロファイルを獲得する。
【０１２５】
ステップＳ２８０２において獲得されたプリンタ出力プロファイルは、出力階調情報格納部に格納する。
【０１２６】
ステップ２５０３において、プリンタにおける粒状性情報として次のような図６に示される構成を持つプリンタ粒状性プロファイルを獲得する。
【０１２７】
ステップＳ２８０４において獲得されたプリンタ出力プロファイルは、粒状性情報格納部に格納する。
【０１２８】
ステップＳ２８０５において、明度階調特性可変範囲を獲得する。
【０１２９】
ステップＳ２８０６において、粒状性可変範囲を獲得する。
【０１３０】
ステップＳ２８０７において、明度階調可変範囲における重み付けデータおよび、粒状性可変範囲における重み付けデータを獲得する。
【０１３１】
ステップＳ２８０８において、出力階調特性可変範囲を算出する。
【０１３２】
ステップＳ２８０９において、ステップＳ２８０８において設定された出力階調特性制御点における制御範囲を用いて、出力階調特性における制御点の値を決定し、プリンタにおける出力階調特性を決定する。
【０１３３】
ステップＳ２８１０において、ステップＳ２８０９において決定されたプリンタにおける出力階調特性曲線情報に基づき、色補正テーブルを作成する。
【０１３４】
ステップＳ２８１１において、ステップＳ２８１０において作成された色補正テーブルを用いて、粒状性を軽減するための入力ＲＧＢ信号を補正する。
【０１３５】
ステップＳ２８１２において、ステップＳ２８１１において補正された入力ＲＧＢ信号を、プリンタ出力信号であるＣＭＹＫ信号に色変換処理を行う。
【０１３６】
ステップＳ２８１３において、ステップＳ２８１２において色変換されたＣＭＹＫ信号をプリンタによって出力し、出力画像を獲得する。
【０１３７】
以上、ステップＳ２８０１からステップＳ２８１３におけるフローチャートに従った処理を行うことで、明度階調特性の好ましさとプリンタ出力における粒状性の軽減の両者を実現するプリンタの色補正処理を実現することができる。
【０１３８】
［その他の実施例３］
＜記憶媒体＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【０１３９】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【０１４０】
この場合、記憶媒体から読み出されたプログラムコード自体が前述した実施形態の機能を実現することになり、そのプログラムコードを記憶した記憶媒体は本発明を構成することになる。
【０１４１】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【０１４２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【０１４３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１４４】
【図１】本発明の実施形態で共通に用いられる画像処理装置の概略構成を示すブロック図である。
【図２】本発明の画像処理装置の構成を示すブロック図である。
【図３】本発明における画像処理装置における処理の流れを示すフローチャートである。
【図４】本発明における構成の一例を示した図である。
【図５】本発明におけるデータの一例を示した図である。
【図６】本発明における構成の一例を示した図である。
【図７】本発明におけるチャートの一例を示す図である。
【図８】本発明におけるデータの一例を示した図である。
【図９】本発明におけるデータの一例を示した図である。
【図１０】本発明におけるデータの一例を示した図である。
【図１１】本発明における構成の一例を示した図である。
【図１２】本発明における構成の一例を示した図である。
【図１３】本発明におけるデータの一例を示した図である。
【図１４】本発明による処理結果を示す図である。
【図１５】本発明における構成の一例を示した図である。
【図１６】本発明における画像処理装置における処理の流れを示すフローチャートである。
【図１７】本発明による処理結果を示す図である。
【図１８】本発明におけるデータ処理の一例を示した図である。
【図１９】本発明におけるデータ処理の一例を示した図である。
【図２０】本発明における画像処理装置における処理の流れを示すフローチャートである。
【図２１】本発明における画像処理装置の構成を示すブロック図である。
【図２２】本発明における画像処理装置の構成を示すブロック図である。
【図２３】本発明における画像処理装置における処理の流れを示すフローチャートである。
【図２４】本発明におけるデータの一例を示した図である。
【図２５】本発明におけるデータの一例を示した図である。
【図２６】本発明による処理結果を示す図である。
【図２７】本発明における画像処理装置の構成を示すブロック図である。
【図２８】本発明における画像処理装置における処理の流れを示すフローチャートである。
【図２９】本発明における構成の一例を示した図である。
【符号の説明】
【０１４５】
１０１  ＣＰＵ
１０２  ＲＯＭ
１０３  ＲＡＭ
１０４  操作部
１０５  画像処理部
１０６  モニタ
１０７  入力デバイス
１０８  出力デバイス
２０１  端子
２０２  入力信号格納部
２０３  粒状性情報格納部
２０４  出力明度階調情報格納部
２０５  粒状性情報抽出部
２０６  粒状性可変範囲格納部
２０７  階調制御点設定部
２０８  明度階調特性可変範囲格納部
２０９  出力階調特性範囲獲得部
２１０  補正テーブル作成部
２１１  色補正処理部
２１２  色変換部
２１３  端子
２１４  端子
４０１  グレイＲＧＢ値格納メモリ
４０２  出力明度値Ｌ格納メモリ
６０１  出力明度値Ｌ格納メモリ
６０２  出力粒状度格納メモリ
７０１  粒状性測定チャート
７０２  パッチ
８０１  粒状特性
８０２  視覚限界レベル
９０１  出力階調特性曲線
９０２  白色点
９０３  階調制御点
９０４  階調制御点
９０５  階調制御点
９０６  黒色点
１００１  明度階調可変範囲境界
１００２  明度階調可変範囲境界
１００３  明度階調可変範囲
１００４  明度階調可変範囲
１００５  明度階調可変範囲
１１０１  階調制御点インデックスメモリ
１１０２  明度階調可変範囲格納メモリ
１１０３  明度階調可変範囲格納メモリ
１１０４  明度階調可変範囲格納メモリ
１１０５  明度階調可変範囲格納メモリ
１２０１  粒状性視覚限界レベル格納メモリ
１２０２  粒状性視覚限界レベル上限格納メモリ
１２０３  粒状性視覚限界レベル下限格納メモリ
１３０１  粒状性可変範囲境界
１３０２  粒状性可変範囲境界
１４０１  出力階調特性可変範囲領域
１５０１  階調制御点インデックスメモリ
１５０２  明度階調可変範囲格納メモリ
１５０３  明度階調可変範囲格納メモリ
１５０４  明度階調可変範囲格納メモリ
１５０５  明度階調可変範囲格納メモリ
２１０１  出力明度変換テーブル作成部
２１０２  色補正テーブル作成部
２１０３  色補正テーブル格納部
２２０１  Ｌ＊ａｂ＊変換部
２２０２  色補正テーブル変換部
２２０３  Ｌ＊ａｂ＊変換部
２２０４  Ｌ＊ａｂ＊逆変換部
２２０５  色補正データ格納部
２５０１  粒状性可変範囲
２５０２  粒状性可変範囲
２５０３  粒状性可変範囲
２５０４  明度階調可変範囲
２５０５  明度階調可変範囲
２５０６  明度階調可変範囲
２６０１  出力階調特性可変範囲領域
２７０１  可変領域比率格納部
２９０１  階調制御点インデックスメモリ
２９０２  明度可変範囲比率格納メモリ
２９０３  粒状性可変範囲比率格納メモリ
【図１】
2006157756.tif 000007
【図２】
2006157756.tif 000008
【図３】
2006157756.tif 000009
【図４】
2006157756.tif 000010
【図５】
2006157756.tif 000011
【図６】
2006157756.tif 000012
【図９】
2006157756.tif 000013
【図１０】
2006157756.tif 000014
【図１１】
2006157756.tif 000015
【図１２】
2006157756.tif 000016
【図１３】
2006157756.tif 000017
【図１４】
2006157756.tif 000018
【図１５】
2006157756.tif 000019
【図１６】
2006157756.tif 000020
【図１９】
2006157756.tif 000021
【図２０】
2006157756.tif 000022
【図２１】
2006157756.tif 000023
【図２２】
2006157756.tif 000024
【図２３】
2006157756.tif 000025
【図２４】
2006157756.tif 000026
【図２５】
2006157756.tif 000027
【図２６】
2006157756.tif 000028
【図２７】
2006157756.tif 000029
【図２８】
2006157756.tif 000030
【図２９】
2006157756.tif 000031
【図７】
2006157756.tif 000032
【図８】
2006157756.tif 000033
【図１７】
2006157756.tif 000034
【図１８】
2006157756.tif 000035